(57)【特許請求の範囲】
【請求項１】
ウエットティッシュの第１の辺に沿って３つ折りにした後、このウエットティッシュの第２の辺を２つ折りにして折り畳まれたウエットティッシュと、
この折り畳まれたウエットティッシュを複数配置する容器と、
この容器に形成されている前記折り畳まれたウエットティッシュを取り出すための取り出し口と、を有するウエットティッシュ収容体であって、
前記第１の辺は、単一のＺ字状を成すように３つ折りにされ、この単一のＺ字状の上辺と下辺が、前記３つ折りにされたウエットティッシュにおける表面部又は裏面部に相当し、前記上辺と前記下辺を結ぶ斜辺が、前記３つ折りにされたウエットティッシュの中間部に相当し、
前記表面部及び前記裏面部が、それぞれ前記第１の辺の長さの３分の１を超える長さで折られ、
前記３つ折りにされたウエットティッシュにおける前記表面部と前記裏面部が、前記中間部から突出して形成され、
前記３つ折りにされたウエットティッシュにおける前記表面部と前記中間部との間の折り目は、前記裏面部の上面で厚み方向に段差を形成し、
前記折り畳まれたウエットティッシュを前記容器に収容すると前記折り目は、前記取り出し口に対応する位置に配置される構成となっていることを特徴とするウエットティッシュ収容体。
【請求項２】
ウエットティッシュの第１の辺に沿って３つ折りにした後、このウエットティッシュの第２の辺を２つ折りにして折り畳まれたウエットティッシュと、
この折り畳まれたウエットティッシュを複数配置する容器と、
この容器に形成されている前記折り畳まれたウエットティッシュを取り出すための取り出し口と、を有するウエットティッシュ収容体であって、
前記第１の辺は、単一のＺ字状を成すように３つ折りにされ、この単一のＺ字状の上辺と下辺が、前記３つ折りされたウエットティッシュにおける表面部又は裏面部に相当し、前記上辺と前記下辺を結ぶ斜辺が、前記３つ折りにされたウエットティッシュの中間部に相当し、
前記表面部及び前記中間部が、それぞれ前記第１の辺の長さの略４分の１の長さで折られ、
少なくとも、前記３つ折りにされたウエットティッシュの前記表面部と前記裏面部は、前記表面部側から見て、略同等の面積となり、
前記３つ折りにされたウエットティッシュの前記表面部と前記中間部との間の折り目は、前記表面部側から見て略中央部に配置されると共に、前記裏面部の上面で厚み方向に段差を形成し、
折り畳まれたウエットティッシュを前記容器に収容すると前記折り目は、前記取り出し口に対応する位置に配置されており、
一の折り畳まれているウエットティッシュの一側側の上に他の折り畳まれているウエットティッシュの他側側を重ねて配置することを特徴とするウエットティッシュ収容体。
【請求項３】
前記ウエットティッシュが水解紙で構成されていることを特徴とする請求項１又は請求項２に記載のウエットティッシュ収容体。
【発明の詳細な説明】
【０００１】
【発明の属する技術分野】
本発明は、例えば携帯用に小型に折り畳まれたウエットティッシュや、このウエットティッシュを複数個、重ね合わして収容したウエットティッシュ容器等のウエットティッシュ収容体に関するものである。
【０００２】
【従来の技術】
従来のウエットティッシュ１０は、例えば図１１（ａ）（ｂ）に示すように折り畳まれている。
すなわち、先ず、図１１（ａ）に示すように薬液等を染込ませた不織布を略長方形にし、ウエットティッシュ１０とする。したがって、このウエットティッシュ１０の左右には、長辺１１，１２及び短辺１３，１４が形成される。
これら長辺１１及び長辺１２は、図１１（ａ）に示すように例えば２００ｍｍ程度に形成される。一方、ウエットティッシュ１０の図１１（ａ）における上下には、短辺１３及び短辺１４が形成される。この短辺１３及び短辺１４は、図１１（ａ）に示すように例えば１５０ｍｍ程度に成っている。
【０００３】
このように形成されている短辺１３及び短辺１４を、図１１（ａ）に示すように３７，５ｍｍと７５ｍｍの寸法で矢印で示すように、Ｚ字状に折る。この状態を示したのが図１１（ｂ）である。
そして、長辺１１及び長辺１２を図１１（ｂ）の矢印方向に折ると、図１２に示すように折り込まれる。このとき、ウエットティッシュ１０は、長辺１１，１２の長さが１００ｍｍ程度となり、短辺１３，１４の長さが７５ｍｍ程度に形成される。
そして、折り畳まれたウエットティッシュ１０の表面の略中央部には、図１２に示すように、長辺１１が配置されることになる。
このような折り畳まれたウエットティッシュ１０を、図１３に示すように複数個重ねて、厚みを例えば２０ｍｍ程度とし、図１４に示すウエットティッシュ容器２０内に収容する。
このウエットティッシュ容器２０の図において上面には、使用者が、ウエットティッシュ容器２０内の複数のウエットティッシュ１０の一つを指等でつまんで取り出すための蓋体で覆われた取り出し口２１が形成されている。
【０００４】
このようなウエットティッシュ容器２０は、ウエットティッシュ１０が小型に折り畳まれているため携帯用となっている。
ウエットティッシュ容器２０内のウエットティッシュ１０を使用者が取り出すときは、先ず、ウエットティッシュ容器２０の取り出し口２１を開ける。そして、この取り出し口２１に臨むように配置されている最も上のウエットティッシュ１０のみを使用者がつまむことで、このウエットティッシュ１０のみをウエットティッシュ容器２０から取り出して使用することができるようになっている。
【０００５】
【発明が解決しようとする課題】
ところが、このウエットティッシュ１０は薬液等が含浸され、そのうえ、図１２に示すようにＺ字状に折り畳まれているため、ウエットティッシュ１０の折り畳まれた部分が相互に張り付いた状態となる。そして、このように折り畳まれた部分が相互に張り付いたウエットティッシュ１０が、ウエットティッシュ容器２０内に重なって複数、配置されている。
ところで、使用者が、このウエットティッシュ１０を使用しようとするときは、ウエットティッシュ容器２０の取り出し口２１から、最も上に載置されている１つの折り畳まれているウエットティッシュ１０をつまんで取り出す。
そして、この折り畳まれているウエットティッシュ１０を図１１（ａ）の状態に広げて、使用することになる。
しかし、ウエットティッシュ１０は、上述のように、折り畳まれた部分が相互に張り付いた状態となっているため、使用者が広げるのは容易ではなく、使い難いという問題があった。
【０００６】
本発明は、以上の点に鑑み、使用者が広げ易く、使用しやすいウエットティッシュのウエットティッシュ収容体を提供することを目的とする。
【０００７】
【課題を解決するための手段】
前記目的は、請求項１の発明によれば、ウエットティッシュの第１の辺に沿って３つ折りにした後、このウエットティッシュの第２の辺を２つ折りにして折り畳まれたウエットティッシュと、この折り畳まれたウエットティッシュを複数配置する容器と、この容器に形成されている前記折り畳まれたウエットティッシュを取り出すための取り出し口と、を有するウエットティッシュ収容体であって、前記第１の辺は、単一のＺ字状を成すように３つ折りにされ、この単一のＺ字状の上辺と下辺が、前記３つ折りにされたウエットティッシュにおける表面部又は裏面部に相当し、前記上辺と前記下辺を結ぶ斜辺が、前記３つ折りにされたウエットティッシュの中間部に相当し、前記表面部及び前記裏面部が、それぞれ前記第１の辺の長さの３分の１を超える長さで折られ、前記３つ折りにされたウエットティッシュにおける前記表面部と前記裏面部が、前記中間部から突出して形成され、前記３つ折りにされたウエットティッシュにおける前記表面部と前記中間部との間の折り目は、前記裏面部の上面で厚み方向に段差を形成し、前記折り畳まれたウエットティッシュを前記容器に収容すると前記折り目は、前記取り出し口に対応する位置に配置される構成となっていることを特徴とするウエットティッシュ収容体により達成される。
【０００８】
請求項１の構成によれば、３つ折りにされたウエットティッシュにおける裏面部が、中間部から突出して形成されている。このため、表面部と裏面部の突出して形成されている部分が中間部に張り付くことがない。
したがって、裏面部を中間部から使用者が苦労して剥がす必要がなく、更に、使用者が、この突出している表面部と裏面部の側縁部を保持することで、容易にウエットティッシュを広げることができる。
また、前記３つ折りにされたウエットティッシュにおける前記表面部と前記中間部との間の折り目は、前記裏面部の上面で厚み方向に段差を形成している。
この折り目は裏面部の上面で厚み方向に段差を形成されているので、使用者が折り目を掴み易い構成となっている。
また、折り畳まれたウエットティッシュを容器に収容すると折り目は、取り出し口に対応する位置に配置される構成となっている。
このため、使用者が例えばウエットティッシュ容器に収容されている１つのウエットティッシュの表面部と中間部との境界部である折り目を掴むことで、容易にウエットティッシュ容器から取り出すことができる。
【０００９】
前記目的は、請求項２の発明によれば、ウエットティッシュの第１の辺に沿って３つ折りにした後、このウエットティッシュの第２の辺を２つ折りにして折り畳まれたウエットティッシュと、この折り畳まれたウエットティッシュを複数配置する容器と、この容器に形成されている前記折り畳まれたウエットティッシュを取り出すための取り出し口と、を有するウエットティッシュ収容体であって、前記第１の辺は、単一のＺ字状を成すように３つ折りにされ、この単一のＺ字状の上辺と下辺が、前記３つ折りされたウエットティッシュにおける表面部又は裏面部に相当し、前記上辺と前記下辺を結ぶ斜辺が、前記３つ折りにされたウエットティッシュの中間部に相当し、前記表面部及び前記中間部が、それぞれ前記第１の辺の長さの略４分の１の長さで折られ、少なくとも、前記３つ折りにされたウエットティッシュの前記表面部と前記裏面部は、前記表面部側から見て、略同等の面積となり、前記３つ折りにされたウエットティッシュの前記表面部と前記中間部との間の折り目は、前記表面部側から見て略中央部に配置されると共に、前記裏面部の上面で厚み方向に段差を形成し、折り畳まれたウエットティッシュを前記容器に収容すると前記折り目は、前記取り出し口に対応する位置に配置されており、一の折り畳まれているウエットティッシュの一側側の上に他の折り畳まれているウエットティッシュの他側側を重ねて配置することを特徴とするウエットティッシュ収容体により達成される。
【００１０】
請求項２の構成によれば、３つ折りにされたウエットティッシュにおける裏面部が中央部から突出して形成されているため、裏面部の突出して形成されている部分が中間部に張り付くことがない。
したがって、裏面部を中間部から使用者が苦労して剥がす必要がなく、更に、使用者が、この突出している裏面部の側縁部を保持することで、容易にウエットティッシュを広げることができる。
また、３つ折りにされたウエットティッシュにおける表面部と中間部との間の折り目は、前記裏面部の上面で厚み方向に段差を形成している。
この折り目は裏面部の上面で厚み方向に段差を形成されているので、使用者が折り目を掴み易い構成となっている。
また、折り畳まれたウエットティッシュを容器に収容すると折り目は、取り出し口に対応する位置に配置される構成となっている。
このため、使用者が例えばウエットティッシュ容器に収容されている１つのウエットティッシュの表面部と中間部との境界部である折り目を掴むことで、容易にウエットティッシュ容器から取り出すことができる。
しかも、少なくとも、３つ折りにされたウエットティッシュの表面部と裏面部は、表面部側から見て、略同等の面積となっているため、例えばウエットティッシュ容器内に、一の折り畳まれているウエットティッシュの上に他の折り畳まれているウエットティッシュを重ねる場合は、一の折り畳まれているウエットティッシュの一側側の上に他の折り畳まれているウエットティッシュの他側側を重ねて配置することで、重なり合った複数のウエットティッシュの厚みを不必要に厚くすることなく、且つ効率良く、多くのウエットティッシュを配置することができる。
【００１１】
好ましくは、請求項３の発明によれば、請求項１又は請求項２の構成において、前記ウエットティッシュが水解紙で構成されていることを特徴とするウエットティッシュ収容体である。
【００１２】
請求項３の構成によれば、前記ウエットティッシュが水解紙で構成されている。この水解紙製のウエットティッシュは、水圧によって分解され易いため、繊維の結合力が弱く、使用者が指等で掴むと、直ぐには破け易くなっている。したがって、このような破け易いウエットティッシュに、請求項１又は請求項２の構成を適用すると、使用者が掴んでも破け難いウエットティッシュとなる。
【００３９】
【発明の実施の形態】
以下、この発明の好適な実施形態を添付図面を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００４０】
（第１の実施の形態）
図１は、本発明の実施の形態にかかるウエットティッシュ収容体である携帯用ウエットティッシュ１００を示す図である。
図１に示すように、携帯用ウエットティッシュ１００は、防水性があり変形可能な素材により例えば直立方体に形成されている容器であるウエットティッシュ容器１１０を有している。
このウエットティッシュ容器１１０は、使用者が外出等の際、バッグ等に入れて持ち運ぶため、全体が小型になっており、例えば長辺の長さが１１５ｍｍ程度、短辺の長さが７７ｍｍ程度、厚みが２０ｍｍ程度に成っている。
【００４１】
そして、ウエットティッシュ容器１１０の図１における上面には、ウエットティッシュ容器１１０内に収容されているウエットティッシュ片１２０（後述）を使用者が取り出すための取り出し口１１１が設けられている。
この取り出し口１１１は、その基部１１１ａが強い接着によりウエットティッシュ容器１１０と一体に形成され、他の部分１１１ｂは、弱く、繰り返し着脱可能な接着により、ウエットティッシュ容器１１０と分離可能とされていることで蓋体として機能する。
したがって、この取り出し口１１１を開けようとする使用者は、この分離可能に接着されている他の部分１１１ｂの先端部（図において△の部分）を保持して、図１の上方に持ち上げることで、取り出し口１１１が開の状態となり、開口部１１２が現れる。
【００４２】
このようなウエットティッシュ容器１１０内には、図２に示すようにウエットティッシュ片１２０が、多数、例えば３０枚、重なり合うように配置されている。
これら多数のウエットティッシュ片１２０の各々は、図３に示すように折り畳まれている。このウエットティッシュ１２０は、図３に示すように第２の辺である例えば長辺が１００ｍｍ程度、第１の辺である例えば短辺が７２ｍｍ程度になるように折り畳まれており、使用するときに折り畳まれている部分を広げて用いるようになっている。これにより持ち運ぶ際には、小型で、使用する際には、十分な大きさを確保することができるようになっている。
【００４３】
図３に示すように折り畳まれたウエットティッシュ片１２０の製造工程を以下に説明する。
先ず、図４に示すウエットティッシュ片１２０の長辺が切断されていない状態のウエットティッシュ用シート状部材であるウエットティッシュ用シートがロールから送り出される。このウエットティッシュ用シートは、不織布やコットン等から形成されている。また、このウエットティッシュ用シートは、外出先で使用した際にも容易にトイレ等に流すことができるように水解紙により形成されている。
この水解紙は、繊維の結合力が弱く、水圧を受けると直ぐ繊維が分離し易くなっている。
また、このとき、ウエットティッシュ用シートが図４の短辺の長さである１５０ｍｍではなく、７５０ｍｍの長さでロールから送り出される場合もある。この場合は、１５０ｍｍの長さの５本のシートに分離する工程が設けられる。
その後、このロールから送り出されたウエットティッシュ用シートに水や薬液が含浸される。
【００４４】
次に、図４に示す短辺（１５０ｍｍ）を図５に示すようにＺ字状に折り畳むことになる。具体的には、図４に示すウエットティッシュ片１２０の右端及び左端から例えば５５ｍｍ程度の部分に２つの折り目１２１、１２３が形成されるように折り畳まれる。また、この５５ｍｍの長さは、短辺１５０ｍｍの１／３以上の長さに設定されている。
そして、図４の左側の部分が表面部１２０ａ、真中の部分が中間部１２０ｂそして、右側の部分が裏面部１２０ｃとなり、図５に示すようにＺ字状に折り畳まれる。
このとき、表面部１２０ａと裏面部１２０ｃの長さが短辺１５０ｍｍの１／３以上に成っているため、表面部１２０ａと裏面部１２０ｃの第２の辺の側端部である表面端部１２５と裏面端部１２４は、中間部１２０ｂから図５の左右方向に突出して形成される。
【００４５】
このようにＺ字状に折り畳まれたウエットティッシュ用シートは、図５に示す長辺の長さ、例えば２００ｍｍ程度に切断される。
なお、この他に長辺の長さに切断した後、Ｚ字状に折り畳まれる場合もある。ところで、図５のように長辺の長さ方向に切断されたウエットティッシュ片１２０は、図３に示すように長辺が２つ折りにされる。これにより、ウエットティッシュ片１２０は、長辺が１００ｍｍ程度まで小型化されることになる。
また、このとき、上面部である図３の表面には、表面部１２０ａが配置されると共に、表面部１２０ａと中間部１２０ｂとの境界部である折り目１２１が、表面に配置されることになる
また、図３に示すように表面部１２０ａ、中間部１２０ｂ、そして裏面部１２０ｃが折り重ねられている折り重ね部１２２が形成され、その両側に表面端部１２５と裏面端部１２４が配置される。
そして、この折り重ね部１２２の厚みは、表面端部１２５や裏面端部１２４より厚く形成されているので、図３の折り目１２１は、裏面端部１２４の表面から厚み方向に段差を形成するように配置されている。
【００４６】
このようにして、１つのウエットティッシュ片１２０の折り畳みが終了する。そして、このように折り畳まれたウエットティッシュ片１２０を図２に示すように多数、例えば３０枚積み重ねる。
なお、薬液等の含浸を上述の工程で行わないで、このように積み重ねた段階で初めて薬液を含浸させる場合もある。
次に、図１のウエットティッシュ容器１１０内に積み重ねられたウエットティッシュ片１２０を収容、包装し、携帯用ウエットティッシュ１００となる。
【００４７】
次に、このように形成される携帯用ウエットティッシュ１００の使用方法等について説明する。
先ず、使用者である例えば乳幼児の保護者は、この携帯用ウエットティッシュ１００を乳幼児のオムツ替えに使用するため、バッグ等に入れて持ち運ぶ。
外出先で、急に乳幼児のオムツ替えをする必要があるとき、保護者はバッグから携帯用ウエットティッシュ１００を取り出し、図１に示す取り出し口１１１の前記先端部（図において△印の部分）を保持し、上に引き上げて開状態とする。
【００４８】
そして、この現れた開口部１１２へ保護者の指を挿入する。このとき、携帯用ウエットティッシュ１００のウエットティッシュ容器１１０内に重なった状態で収容されている各ウエットティッシュ片１２０は、それぞれが薬液等の水分を十分に含んでいる。そして、各ウエットティッシュ片１２０は、水分を含んだ状態で、折り畳んでいるため、図３の折り重ね部１２２のようにウエットティッシュ片１２０の部分が厚く重なっている部分は、特に張り付いた状態になっている。
このとき本実施の形態では、保護者の指は、開口部１１２から挿入され、ウエットティッシュ容器１１０内に重なって収容された最も上のウエットティッシュ片１２０の折り目１２１を把持する。
この折り目１２１は、開口部１１２に対応して位置すうように配置され、上述のように裏面端部１２４の表面から厚み方向に段差をもって形成されているので、保護者は、容易にこの折り目１２１を保持できることになる。
【００４９】
このとき、ウエットティッシュ片１２０は、上述のように水解紙で形成されているため、繊維の結合力が弱く、保護者が強く掴むと破け易くなっている。
しかし、本実施の形態では、保護者は、前記折り目１２１を容易に保持できるため、強く掴むことなく、このウエットティッシュ片１２０を取り出すことができる。
また、折り目１２１を保持するので、誤って直下に配置されている不必要な他のウエットティシュ片まで一緒に取り出してしまうこともない。
次に、保護者が、この使用しようとするウエットティッシュ片１２０の折り目１２１を保持して、引き上げる。
使用しようとするウエットティッシュ片１２０は、折り畳まれているため、使用するには、保護者が図４に示す状態まで開く必要がある。
このとき保護者は、先ず、保護者が、図３に示す折り目１２１を掴んで、引き上げると、ウエットティッシュ片１２０の長辺の２つ折りが解除されて、図５に示す状態になる。
【００５０】
次に、図５のウエットティッシュ片１２０の重なりが少ない部分である表面端部１２５と裏面端部１２４を、例えば右手と左手で、それぞれ掴み、図において左右方向に広げる。すると、ウエットティッシュ片１２０は、容易に図４に示す状態になる。
すなわち、表面端部１２５と裏面端部１２４の部分のウエットティッシュ片１２０が重なっていない部分であるため端部が剥がれ易いだけでなく、保護者は、これらを容易に掴むことができる。したがって、表面端部１２５と裏面端部１２４の部分は、ウエットティッシュ片１２０を広げる際の手がかりとなっている。
また、このように表面端部１２５と裏面端部１２４の部分を掴み、左右方向に引っ張ることで、力をあまり入れずに容易にウエットティッシュ片１２０を広げることができるので、ウエットティッシュ片１２０が水解紙で形成されていても、広げる際にウエットティッシュ片１２０が破けてしまうことがない。
【００５１】
したがって、従来のように張り付いているウエットティッシュ片１２０を長時間かけて広げる必要がなく、広げ易いウエットティッシュ片１２０なので、保護者が必要なときにウエットティッシュ片１２０を使用できなかったり、誤って破ったすることが著しく減少することになる。
特に、保護者が乳幼児のオムツ替えを行う際は、速やかにウエットティッシュ片１２０をウエットティッシュ容器１１０から取り出し、広げる必要があるので、かかる場合には、本実施の形態に係る携帯用ウエットティッシュ１００は、特にその効果を発揮する。
【００５２】
（第２の実施の形態）
図６は、本発明の第２の実施の形態に係るウエットティッシュ片２２０が折り畳まれた状態を示す概略斜視図である。図７は、ウエットティッシュ片２２０を広げた状態を示す図である。また、図８は、図７に示すウエットティッシュ片２２０を折り畳む工程の中間段階の一つを示す図である。
本実施の形態のウエットティッシュ片２２０は、図７に示すように、その大きさが上述の第１の実施の形態と同様であり、ウエットティッシュ片２２０の材質等も上述の第１の実施の形態と同様である。
本実施の形態のウエットティッシュ片２２０と第１の実施の形態のウエットティッシュ片１２０との相違はその折り畳み方にあるため、第１の実施の形態と共通する構成は、同一の符号を付す等して説明を省略し、以下相違点を中心に説明する。
【００５３】
先ず。図７に示すように略長方形に形成されたウエットティッシュ片２２０は、図７に示すように第２の辺である例えば長辺が例えば２００ｍｍ、第１の辺である短辺が例えば１５０ｍｍに形成される。そして、ウエットティッシュ片２２０の短辺１５０ｍｍの半分である右端から７５ｍｍ程度のところに折り重ね用折り目２２３が形成される。
また、左端から折り重ね用折り目２２３の丁度、中間に折り目２２１が形成される。したがって、この折り目２２１から折り目２２３までの長さと左端から折り目２２１までの長さは、同じく３７．５ｍｍ程度となる。
【００５４】
このようにウエットティッシュ片２２０に折り目２２１、２２３を形成した後、図７の矢印方向にウエットティッシュ２２０を折り畳み、図８に示すようにする。このとき折り重ね部２２２は、図において左半分に形成され、この折り重ね部２２２が形成される表面の左半分の面積と右半分の面積は略同等になる。
この状態でウエットティッシュ片２２０の長辺を、図８の矢印方向に折り畳むと図６に示す折り畳まれたウエットティッシュ片２２０が完成する。この図６の折り重ね部２２２の幅は、図８と同様になり、図において縦方向の長さが、半分の１００ｍｍ程度となる。
したがって、折り畳まれたウエットティッシュ片２２０の上面である表面に折り目２２１が形成されると共に、この折り目２２１を境に表面の左側の面積と右側の面積が略同じとなる。そして、左側にのみ折り重ね部２２２が形成されることになる。
【００５５】
図６に示す折り畳まれたウエットティッシュ片２２０の上に、第１の実施の形態と同様に、他のウエットティッシュ片２２０を重ね、ウエットティッシュ容器１１０内に収容して携帯用ウエットティッシュとなる。
しかし、本実施の形態では、第１の実施の形態と異なり、折り畳まれたウエットティッシュ片２２０の表面の把持用折り目２２１を境に表面の左側の面積と右側の面積が略同じとなっているため、一のウエットティッシュ片２２０の上には逆向きに他のウエットティッシュ片２２０が重ねられる。
すなわち、一のウエットティッシュ片２２０の折り重ね部２２２の上には他のウエットティッシュ２２０の折り重ね部２２２でない面（図６において右側の面）が載置される。
【００５６】
このように交互に向きを替えて多数のウエットティッシュ片２２０を重ねることにより、第１の実施の形態と同一のウエットティッシュ容器１１０でも、第１の実施の形態より多くのウエットティッシュ片２２０を収容できることになる。
また、上述の他に、総枚数の半分を右に、残り半分を左になるように重ねても良い。
さらに、本実施の形態では、図６に示す左端部は、揃っているが、これに限らず最も上面に配置される部分が左側に僅かに突出するように形成されてもよい。この場合は、この突出部を保護者が掴むことで、ウエットティッシュ片２２０を広げ易くなる。
【００５７】
（第３の実施の形態）
図１０は、本発明の第３の実施の形態に係るウエットティッシュ片３２０が折り畳まれた状態を示す概略斜視図である。図９は、図１０に示すウエットティッシュ片３２０を折り畳む工程の中間段階の一つを示す図である。
本実施の形態のウエットティッシュ片３２０は、第１の実施の形態のウエットティッシュ片１２０と材質等が共通し、その折畳み方法も一部共通する。
本実施の形態のウエットティッシュ片３２０と第１の実施の形態のウエットティッシュ片１２０との相違は、その折り畳みの工程にあるため、第１の実施の形態と共通する構成は、同一の符号を付す等して説明を省略し、以下相違点を中心に説明する。
【００５８】
本実施の形態のウエットティッシュ片３２０の製造工程でも、第１の実施の形態と同様に、図４に示す工程を経て、図５に示す状態とする。
しかし、本実施の形態では、第１の実施の形態と異なり、図９に示すように、表面部１２０ａ及び裏面部１２０ｃをさらに、図９の矢印Ａで示すように折り込む。
そして、図９の矢印Ａで示すように折り込まれたウエットティッシュ片３２０は、第１の実施の形態と同様に、ウエットティッシュ片３２０の長辺を２つ折りする（図９の矢印Ｂ）ことにより、図１０に示すようになる。このとき、ウエットティッシュ片３２０の表面部１２０ａには、折り目３２１が形成され、裏面部１２０ｃにも同様の折り目３２３が形成されることになる。
したがって、このような折り畳まれたウエットティッシュ片３２０をウエットティッシュ容器１１０から取り出そうとする保護者は、例えば図１０に示す折り目３２１を掴むことで、容易にウエットティッシュ片３２０を取り出すことができる。
【００５９】
すなわち、この折り目３２１は、図３の折り目１２１と同様に、ウエットティッシュ片３２０の中間部１２０から厚み方向に段差が形成されるからである。
また、ウエットティッシュ片３２０を取り出し、図１０の２つ折り状態を解除した際、保護者は、例えば右手で表面部１２０ａの端部３２１を掴み、左手で裏面部１２０ｃの端部３２３を掴むことで、容易且つ速やかにウエットティッシュ片３２０を広げることができる。
さらに、本実施の形態のウエットティッシュ片３２０は、折り畳まれた際、図１０に示すように、長辺が１００ｍｍ程度、短辺が４０ｍｍ程度となるので、第１の実施の形態の折り畳まれたウエットティッシュ片１２０の長辺１００ｍｍ程度、短辺７０ｍｍ程度に比べ著しく小型にすることができる。
したがって、このような小型のウエットティッシュ片３２０を多数、例えば３０枚重ねて、ウエットティッシュ容器に配置した携帯用ウエットティッシュは、より小型化されることになる。
【００６０】
なお、上述の実施の形態の各構成は、その一部を省略したり、上述していない他の任意の組み合わせに変更することができる。
【００６１】
【発明の効果】
以上のように、本発明によれば、使用者が広げ易く、使用しやすいウエットティッシュのウエットティッシュ収容体を提供することができる。
【図面の簡単な説明】
【図１】本発明の第１の実施の形態にかかる携帯用ウエットティッシュを示す概略斜視図である。
【図２】ウエットティッシュ容器内に収容される折り畳まれるウエットティッシュ片１２０の積層状態を示す概略斜視図である。
【図３】図２の一のウエットティッシュ片を示す概略斜視図である。
【図４】図２のウエットティッシュを広げた状態を示す概略図である。
【図５】図２のウエットティッシュを折り畳む過程を示す概略斜視図である。
【図６】本発明の第２の実施の形態にかかる折り畳まれたウエットティッシュ片を示す概略図である。
【図７】図６のウエットティッシュ片を広げた状態を示す概略図である。
【図８】図６のウエットティッシュを折り畳む過程を示す概略斜視図である。
【図９】本発明の第３の実施の形態にかかるウエットティッシュ片の製造工程の１つを示す概略図である。
【図１０】本発明の第３の実施の形態にかかる折り畳まれたウエットティッシュ片を示す概略図である。
【図１１】（ａ）従来のウエットティッシュを広げた状態を示す概略図である。（ｂ）従来のウエットティッシュを折り畳み過程を示す概略斜視図である。
【図１２】従来の折り畳まれたウエットティッシュを示す概略斜視図である。
【図１３】図１２のウエットティッシュを積層した状態を示す概略斜視図である。
【図１４】従来のウエットティッシュ容器を示す概略斜視図である。
【符号の説明】
１００・・・携帯用ウエットティッシュ、１１０・・・ウエットティッシュ容器、１１１・・・取り出し口、１１１ａ・・・基部、１１１ｂ・・・先端部、１１２・・・開口部、１２０、２２０、３２０・・・ウエットティッシュ片、１２１，２２１、１２３、２２３・・・折り目、１２２，２２２・・・折り重ね部、１２０ａ・・・表面部、１２０ｂ・・・中間部、１２０ｃ・・・裏面部、１２４・・・裏面端部、１２５・・・表面端部、３２１、３２３・・・端部
【図１】
0003770582.tif 000002
【図２】
0003770582.tif 000003
【図３】
0003770582.tif 000004
【図４】
0003770582.tif 000005
【図５】
0003770582.tif 000006
【図６】
0003770582.tif 000007
【図７】
0003770582.tif 000008
【図８】
0003770582.tif 000009
【図９】
0003770582.tif 000010
【図１０】
0003770582.tif 000011
【図１１】
0003770582.tif 000012
【図１２】
0003770582.tif 000013
【図１３】
0003770582.tif 000014
【図１４】
0003770582.tif 000015